(57)【要約】【課題】フットライトの取り付け位置を利用し易い位置に容易に変更することができるようにしたベッド装置を提供することにある。【解決手段】磁性材料によって形成されたベースフレーム１と、人体を感知するセンサ４２、センサが人体を感知することで点灯する照明部４０及びマグネット３９を有し、そのマグネットを磁性材料によって形成されたベースフレームに磁気結合させることで着脱可能に設けられるフットライト３７とを具備する。【選択図】      図１
2007007257.tif 000002
【特許請求の範囲】
【請求項１】
少なくとも一部が磁性材料によって形成されたベッド本体と、
人体を感知するセンサ、このセンサが人体を感知することで点灯する照明部及びマグネットを有し、そのマグネットを上記ベッド本体の磁性材料によって形成された部分に磁気結合させることで着脱可能に設けられるフットライトと
を具備したことを特徴とするベッド装置。
【請求項２】
上記フットライトは上面に上記マグネットが設けられ、このマグネットを上記ベッド本体の下面に磁気結合させたときの側面に上記センサと上記照明部が設けられていることを特徴とする請求項１記載のベッド装置。
【発明の詳細な説明】
【技術分野】
【０００１】
この発明は利用者がマットレスに乗り降りする際に足元を照明することができるフットライトを備えたベッド装置に関する。
【背景技術】
【０００２】
室内に設置されたベッド装置を利用して就寝する場合、就寝時には消灯するため、ベッド装置の位置を確認することが難しい。そこで、ベッド装置にフットライトを設け、そのフットライトを点灯することで、ベッド装置の位置を確認できるようにしている。そのようなベッド装置はたとえば特許文献１に開示されている。
【０００３】
特許文献１に開示されたベッド装置は、ベッド本体を構成するベッドフレームのサイドフレームやフットボードの下面に凹部を形成し、その凹部にフットライトを設けるようにしている。フットライトはヘッドボードに設けられたホルダに保持されたリモコン装置によって点灯及び消灯の操作ができるようになっている。
【特許文献１】特開平１０−３２７９８４号公報
【発明の開示】
【発明が解決しようとする課題】
【０００４】
しかしながら、特許文献１に示されたベッド装置は、サイドフレームやフットボードの下面に凹部を形成し、その凹部にフットライトを設けるようにしている。そのため、フットライトを設けるためにサイドフレームやフットボードに凹部を加工しなければならないから、その加工に手間が掛かるばかりか、凹部にフットライトを取付ける作業にも手間が掛かるということがあった。
【０００５】
ベッド装置はベッドフレームの一方のサイドフレームを壁面に付けて寝室に設置されるということがある。そのような場合、壁面に付けられる側のサイドフレームにフットスイッチが設けられていると、利用者が反対のサイドフレーム側からベッド装置に乗り降りする際、利用者の足部を照明することができないことになる。そのような不便をなくすためにはベッドフレームの両方のサイドフレームにフットライトを設けなければならないから、フットライトの数が多くなり、不経済である。
【０００６】
上記フットスイッチはリモコン装置で点灯や消灯の操作をするようになっている。しかしながら、フットスイッチを点灯させるために暗い室内でリモコン装置を操作するということは容易でないから、その点でも不便であった。
【０００７】
この発明はフットスイッチをベッド本体の必要な箇所に簡単に、しかも取付け位置を変えることができるよう着脱可能に設けるとともに、暗い室内でリモコン装置を操作するとうことをせずに、点灯させることができるようにしたベッド装置を提供することにある。
【課題を解決するための手段】
【０００８】
この発明は、少なくとも一部が磁性材料によって形成されたベッド本体と、
人体を感知するセンサ、このセンサが人体を感知することで点灯する照明部及びマグネットを有し、そのマグネットを上記ベッド本体の磁性材料によって形成された部分に磁気結合させることで着脱可能に設けられるフットライトと
を具備したことを特徴とするベッド装置にある。
【０００９】
上記フットライトは上面に上記マグネットが設けられ、このマグネットを上記ベッド本体の下面に磁気結合させたときの側面に上記センサと上記照明部が設けられていることが好ましい。
【発明の効果】
【００１０】
この発明によれば、フットライトをベッド本体に磁気的に取り付けるため、ベッド本体の磁性剤材料によって形成された部分であれば、取り付け位置を簡単に変更することが可能であり、しかも利用者がフットライトに近付けば、センサがそのことを検知して照明部が自動的に点灯するから、暗い室内などで点灯操作する必要がない。
【発明を実施するための最良の形態】
【００１１】
以下、図面を参照しながらこの発明の実施の形態を説明する。
【００１２】
図１はこの発明の一実施の形態の電動式のベッド装置を示す。このベッド装置はベッド本体を構成する磁性材料によって作られたベースフレーム１を有する。このベースフレーム１の四隅部下面にはストッパ付きのキャスタ２が設けられ、ベースフレーム１を走行可能に支持している。
【００１３】
上記ベースフレーム１の四隅部上面には支柱４が立設されている。各支柱４には上下駆動リンク５（２つのみ図示）の一端が枢着され、各上下駆動リンク５の他端はベッド本体を構成する磁性材料によって作られたベッドフレーム６の長手方向両端部の幅方向両側に垂設された連結片７に枢着されている。
【００１４】
上記ベッドフレーム６は上下駆動機構８によって上下駆動される。この上下駆動機構８は上下駆動源９を有し、この上下駆動源９によって上記リンク５が連動杆１１を介して図１に示す倒伏した状態から矢印で示す起立方向に駆動されるようになっている。それによって、上記ベッドフレーム６が上昇方向に駆動される。
【００１５】
上記ベッドフレーム６の長手方向一端にはヘッドボード１２が設けられ、他端にはフットボード１３が設けられている。上記ベッドフレーム６上には床板体１５が設けられている。この床板体１５は複数の床部に分割されている。
【００１６】
すなわち、床板体１５は上記ベッドフレーム６の長手方向中途部に固定して設けられた固定床部１６を有する。この固定床部１６の一側には腰上げ床部１７と背上げ床部１８とが順次回動可能に連結されている。上記固定床部１６の他側には第１の脚上げ床部１９と第２の脚上げ床部２０とが順次回動可能に連結されている。そして、この床板体１５上にはマットレスＭが載置されている。
【００１７】
上記床板体１５は、上記ベッドフレーム３の下面側に設けられた起伏駆動機構２２によって起伏駆動されるようになっている。この起伏駆動機構２２は図示しない駆動機構を内蔵した細長いボックス２３を有する。このボックス２３の一端には軸線をベッドフレーム３の幅方向に沿わせた第１の駆動軸２４が設けられ、他端には第２の駆動軸２５が上記第１の駆動軸２４と軸線を平行にして設けられている。
【００１８】
上記ボックス２３の一側面には上記第１の駆動軸２４を回転駆動する背上げ駆動源２６が設けられ、他側面には第２の駆動軸２５を回転駆動する脚上げ駆動源２７が設けられている。
【００１９】
上記第１の駆動軸２４には背上げアーム２８の一端が固着されている。背上げアーム２８の他端部には一対のローラ２９が所定の間隔で回転可能に設けられている。これらローラ２９が上記背上げ床部１７の下面に設けられた断面コ字状のガイドレール３１に転動可能に係合している。それによって、上記背上げアーム２８が起上方向に駆動されると、上記背上げ床部１８が図１に示す倒伏した状態から起上させることができる。このとき、背上げ床部１８と固定床部１６との間に設けられた腰上げ床部１７も連動する。
【００２０】
上記第２の駆動軸２５には脚上げアーム３２が一端を固着して設けられている。この脚上げアーム３２の他端にはローラ３３が設けられている。このローラ３３は第１の脚上げ床部１９の下面に形成された傾斜面３４に当接している。
【００２１】
したがって、上記脚上げアーム３２が起上方向に駆動されると、第１の脚上げ床部１９が固定床部１６に枢着された一端を支点として他端が上昇する方向に起上する。第１の脚上げ床部１９が上昇すると、この上昇に第２の脚上げ床部２０が連動する。
【００２２】
第２の脚上げ床部２０の端部には、線材をコ字状に曲成し両端部を上記ベッドフレーム６に枢着した支持部材３５の中途部が回動可能に連結されている。それによって、第１の脚上げ床部１９が上昇すると、それに連動する第２の脚上げ床部２０を上昇した状態で保持できるようになっている。
【００２３】
ベッド本体の磁性材料によって形成された部分、たとえば上記ベースフレーム１の幅方向の一側の下面にはフットライト３７が着脱可能に設けられている。このフットライト３７は図２と図３に示すように長方体状のケース３８を有し、このケース３８の上面には円盤状のマグネット３９が設けられている。そして、フットライト３７は上記マグネット３９を上記ベースフレーム１の下面に磁気結合させて着脱可能に設けられる。
【００２４】
上記ケース３８の側面には照明部４０と利用者を検知する赤外線式のセンサ４１とが設けられ、下面にはスイッチ４２が設けられている。このスイッチ４２はオフ位置、連続点灯位置及び自動点灯位置の切り換え設定ができるようになっていて、自動点灯位置に設定すると、上記センサ４１が人体を検知することで、上記照明部４０が自動的に点灯至、所定時間後に消灯するようになっている。  
なお、上記フットライト３７乾電池或いはＡＣアダプタによって給電できるようになっていて、図３に示すように上記ケース３８の下面にＡＣアダプタを接続する接続部４３が設けられている。
【００２５】
上記構成のフットライト３７によれば、ケース３８の上面にマグネット３９が設けられているため、そのマグネット３９を磁性材料によって作られた、たとえばベースフレーム１の下面の幅方向一端部などに磁気結合させて取り付けることができる。
【００２６】
そして、上記フットライト３７に設けられたスイッチ４２を自動点灯位置に設定しておけば、暗い室内で就寝している利用者Ｕがベッド装置のフットライト３７が設けられた側から降りる際、上記フットライト３７の側面に設けられたセンサ４１が人体を検知することで、照明部４０が点灯する。  
したがって、利用者Ｕは暗い室内でフットライト３７の点灯操作をすることなく、足元が照明されるから、ベッド装置のマットレスＭから容易に降りることが可能となる。また、照明部４０は点灯後、所定時間経過することで自動的に消灯する。
【００２７】
消灯した状態で利用者Ｕがフットライト３７に近付き、そのことがセンサ４１によって検出されれば、照明部４０が点灯することになる。したがって、暗い室内に入ったときなども、点灯操作することなく、足元を照明することができる。
【００２８】
ベッド装置が幅方向一端を壁面に付けて設置する場合、利用者は幅方向の他端からマットレスＭに乗り降りすることになる。したがって、そのような場合には上記フットスイッチ３７をベースフレーム１の幅方向他端の下面に取付けることができる。
【００２９】
すなわち、フットライト３７はマグネット３９によってベースフレーム１に取り付けられるため、ベッド装置の磁性材料で作られた部分であれば、ベッド装置の設置条件や利用者がマットレスＭに乗り降りする側などの利用条件に応じて取り付け位置を変更することができる。
【００３０】
フットライト３７は、ケース３８の上面にマグネット３９を設け、側面に照明部４０とセンサ４１を設けるようにした。そのため、フットライト３７をベースフレーム１の下面に取付けると、上記照明部４０と上記センサ４１をベッド装置の幅方向外方に向けることができる。したがって、センサ４１による人体の検知及び照明部４０による足元の照明を確実に行なうことができる。
【００３１】
上記一実施の形態ではフットライト３７をベースフレーム１に設けた場合について説明したが、磁性材料で作られた他の部分、たとえばベッドフレーム６などに設けるようにしてもよい。また、ベッド装置は電動式のものだけに限られず、他の構造であってもよく、要はベッド本体の少なくとも一部分が磁性材料で作られたベッド装置であれば、フットライト３７を設けることが可能である。
【００３２】
上記フットライト３７に人体を検知する赤外線センサを設けたが、室内の明るさを検知して照明部４０を点滅する明るさセンサを設けるようにしてもよい。明るさセンサを設ければ、室内が所定の暗さになったときに上記照明部４０を自動的に点灯させ、所定の明るさになったときに自動的に消灯することが可能となる。
【図面の簡単な説明】
【００３３】
【図１】この発明の一実施の形態を示すベッド装置の概略的構成を示す側面図。
【図２】フットライトを斜め上方から見た斜視図。
【図３】フットライトの下面を示す斜視図。
【符号の説明】
【００３４】
１…ベースフレーム（ベッド本体）、６…ベッドフレーム（ベッド本体）、３７…フットライト、３８…ケース、３９…マグネット、４０…照明部、４１…センサ、４３…スイッチ。
【図１】
2007007257.tif 000003
【図２】
2007007257.tif 000004
【図３】
2007007257.tif 000005